(57)【要約】【課題】抗菌剤の寿命を長くすることができる空気調和装置を提供する。【解決手段】ドレンパン４０には抗菌剤ユニット２５０が設けられ、この抗菌剤ユニット２５０には、ドレンポンプ７１が排水可能な最低水位Ｈ０より上方に抗菌剤２３０を収容する収容部２４０ａが設けられ、ドレンポンプ７１の停止によりドレンポンプ７１からの戻り水で水位が上昇したドレン水を収容部２４０ａに導入可能なドレン水導入経路が形成されるようにした。【選択図】図４
2010169279.tif 000002
【特許請求の範囲】
【請求項１】
熱交換器と、この熱交換器で生成されたドレン水を受けるドレンパンと、このドレンパンに溜まったドレン水を汲み上げて排水するドレンポンプとを備えた空気調和装置において、
前記ドレンパンには抗菌剤ユニットが設けられ、
この抗菌剤ユニットには、前記ドレンポンプが排水可能な最低水位より上方に抗菌剤を収容する収容部が設けられ、前記ドレンポンプの停止によりドレンポンプからの戻り水で水位が上昇したドレン水を前記収容部に導入可能なドレン水導入経路が形成されていることを特徴とする空気調和装置。
【請求項２】
前記抗菌剤ユニットは、前記ドレンパンから立設して上面が前記ドレンポンプの吸込口よりも上方に位置する立設部と、この立設部の上面との間に前記収容部を空けて装着される蓋部とを備えることを特徴とする請求項１に記載の空気調和装置。
【請求項３】
前記立設部には、前記ドレン水導入経路として、上面から下方に凹む溝部が形成されていることを特徴とする請求項２に記載の空気調和装置。
【請求項４】
前記立設部は、下方に凹んで前記溝部と水平方向で連通する窪み部の周囲に沿って立設し、前記溝部が、前記窪み部の周囲に沿って間隔を空けて形成されていることを特徴とする請求項３に記載の空気調和装置。
【請求項５】
前記蓋部と前記窪み部との間に、前記収容部より低い位置に抗菌剤を収容可能な下側収容部を設けたことを特徴とする請求項１乃至４のいずれか一項に記載の空気調和装置。
【請求項６】
前記ドレンパンには、水抜き用の貫通孔が設けられると共に、この貫通孔を閉じるドレンキャップが設けられ、このドレンキャップに前記抗菌剤ユニットを一体的に形成したことを特徴とする請求項１乃至５のいずれか一項に記載の空気調和装置。
【発明の詳細な説明】
【技術分野】
【０００１】
本発明は、ドレンパンに貯留されたドレン水をドレンポンプで排水する空気調和装置に関する。
【背景技術】
【０００２】
空気調和装置には、熱交換器と、この熱交換器で生成されたドレン水を受けるドレンパンと、このドレンパンに溜まったドレン水を汲み上げて排水するドレンポンプとを備えたものが知られている。
この種の空気調和装置では、ドレンパンに貯留されたドレン水に半固形状のヌメリ（以下、スライムという）が発生することがあり、このスライムがドレンポンプや排水ホースを詰まらせるおそれがあった。これを解消するために、ドレンパンに設けられるドレンキャップ（水抜き栓）の上方位置に抗菌剤ユニットを配置したものがある（例えば、特許文献１参照）。
【特許文献１】特開２００６−１９４４９３号公報
【発明の開示】
【発明が解決しようとする課題】
【０００３】
しかしながら、従来の構成は、抗菌剤ユニットをドレンキャップの上方に配置することによって抗菌剤ユニットをドレンパンの最深部に配置するため（特許文献１の段落番号００２９参照）、冷房時や加湿器が付いている場合、抗菌剤ユニットがドレン水に常時浸かることになる。このため、抗菌成分がドレン水に必要以上に溶け出してしまい、抗菌効果が持続する期間、つまり、抗菌剤の寿命が短くなってしまう問題があった。
【０００４】
そこで、本発明の目的は、上述した従来の技術が有する課題を解消し、抗菌剤の寿命を長くすることができる空気調和装置を提供することにある。
【課題を解決するための手段】
【０００５】
上述した課題を解決するため、本発明は、熱交換器と、この熱交換器で生成されたドレン水を受けるドレンパンと、このドレンパンに溜まったドレン水を汲み上げて排水するドレンポンプとを備えた空気調和装置において、前記ドレンパンには抗菌剤ユニットが設けられ、この抗菌剤ユニットには、前記ドレンポンプが排水可能な最低水位より上方に抗菌剤を収容する収容部が設けられ、前記ドレンポンプの停止によりドレンポンプからの戻り水で水位が上昇したドレン水を前記収容部に導入可能なドレン水導入経路が形成されていることを特徴とする。
この発明によれば、抗菌剤ユニットには、ドレンポンプが排水可能な最低水位より上方に抗菌剤を収容する収容部が設けられ、ドレンポンプの停止によりドレンポンプからの戻り水で水位が上昇したドレン水を収容部に導入可能なドレン水導入経路が形成されているので、抗菌剤をドレン水に常時浸ける場合に比して、抗菌剤の寿命を長くすることができる。
【０００６】
上記構成において、前記抗菌剤ユニットは、前記ドレンパンから立設して上面が前記ドレンポンプの吸込口よりも上方に位置する立設部と、この立設部の上面との間に前記収容部を空けて装着される蓋部とを備えるようにしてもよい。この構成によれば、ドレンポンプの吸込口よりも上方に抗菌剤を収容する収容部を簡易に設けることができる。
また、上記構成において、前記立設部には、前記ドレン水導入経路として、上面から下方に凹む溝部が形成されるようにしてもよい。この構成によれば、立設部の剛性を十分に確保しつつドレン水導入経路を広く確保することができる。
また、上記構成において、前記立設部は、下方に凹んで前記溝部と水平方向で連通する窪み部の周囲に沿って立設し、前記溝部が、前記窪み部の周囲に沿って間隔を空けて形成されるようにしてもよい。この構成によれば、窪み部及び溝部を介してドレン水の抗菌剤ユニットへの流通を円滑にすることができる。
【０００７】
また、上記構成において、前記蓋部と前記窪み部との間に、前記収容部より低い位置に抗菌剤を収容可能な下側収容部を設けるようにしてもよい。この構成によれば、ドレンポンプからの戻り水でドレン水の水位が上昇していない場合でも、ドレン水を抗菌剤に接触させることができる。
また、上記構成において、前記ドレンパンには、水抜き用の貫通孔が設けられると共に、この貫通孔を閉じるドレンキャップが設けられ、このドレンキャップに前記抗菌剤ユニットを一体的に形成してもよい。この構成によれば、抗菌剤ユニットの配置スペースを別途確保する必要がない分、抗菌剤ユニットの配置が容易になる。
【発明の効果】
【０００８】
本発明によれば、抗菌剤ユニットには、ドレンポンプが排水可能な最低水位より上方に抗菌剤を収容する収容部が設けられ、ドレンポンプの停止によりドレンポンプからの戻り水で水位が上昇したドレン水を収容部に導入可能なドレン水導入経路が形成されているので、抗菌剤の寿命を長くすることができる。
【発明を実施するための最良の形態】
【０００９】
以下、図面を参照して本発明の実施形態を詳述する。
＜第１実施形態＞
図１は第１実施形態に係る天井埋込型空気調和装置（室内機）の設置状態を示す図である。なお、以下の説明において、上下左右等の方向は設置状態に対応する方向である。
この室内機１０は、装置本体２０が天井裏に設置され、化粧パネル１００が天井から露出したいわゆる天井カセット形に構成され、より正確には、４つの吹出口１２０を有する４方向天井カセット形に構成されている。
装置本体２０は、その外ケースを構成して送風機３３や熱交換器（室内熱交換器）３５等の空調部品を収容する金属製の筐体２１を備えている。この筐体２１は、金属板の板金加工で形成されており、天板部（天板）２１ｂと、天板部２１ｂの外縁に沿って下方へ延出する側板部（側板）２１ｃとを備えて下側全面が開口する箱型形状に形成されている。
【００１０】
筐体２１の側板部２１ｃの外面であって４つの角部には、装置本体２０を吊り下げるための吊り金具２８がそれぞれ設けられている。この吊り金具２８は、天井裏の吊りボルト２９に取り付けられ、装置本体２０が吊り下げられる態様で支持される。また、天井面に格子状に設けられた保持バーに装置本体２０を固定することもできる。
化粧パネル１００は、装置本体２０の下部、つまり、筐体２１の下部に取り付けられる。この化粧パネル１００は、樹脂製パネルで形成され、筐体２１の下側開口よりも大型の矩形状とされ、その中央部に室内空気を取り込むための１つの吸込口１１０を有し、この吸込口１１０の周囲に化粧パネル１００の４辺に沿って延在し、熱交換後の空気を吹き出すための複数（本例では４つ）の吹出口１２０を有している。
【００１１】
この化粧パネル１００の吸込口１１０には、吸込グリル１１１が着脱自在に取り付けられ、この吸込グリル１１１には、図示せぬエアフィルタが装着され、このエアフィルタにより吸込口１１０に吸い込まれる室内空気を清浄化する。また、化粧パネル１００の吹出口１２０には、風向き変更用のルーバ１２２が配置されており、このルーバ１２２は図示せぬモーターの駆動により回動する。
化粧パネル１００の４つの角部には、コーナーパネル１０２が取り付けられている。コーナーパネル１０２は、化粧パネル１００の下側に向けて取り外し可能に構成され、このコーナーパネル１０２を外したときに、上述した吊り金具２８と吊りボルト２９との係合位置まで取付作業者の手が入るような大きさを有している。
【００１２】
図２は室内機１０の装置本体２０を示す斜視図であり、図３は装置本体２０を下方から見た図である。筐体２１の内側には、発泡スチロール製の断熱材３０が配設されている。この断熱材３０は、筐体２１の天板部（天板）２１ｂの略全面に配置される天板断熱部（不図示）と、筐体２１の側板部２１ｃの略全面に配置される側板断熱部３０ｃとを一体に備えて下方が開口する箱型形状に形成されている。これによって、この断熱材３０は、筐体２１の内面全体を覆って筐体２１内部と外部との間を断熱した断熱構造とされ、この断熱された内部空間に送風機３３や熱交換器３５等の空調部品が配置されるようになっている。
【００１３】
送風機３３は、図２及び図３に示すように、筐体２１の略中央（天板部２１ｂの中央部分に相当する位置）に設けられ、筐体２１の天板部２１ｂにモーター軸を下向きにして取り付けられるファンモーター３３ａ（図３ではモーター軸に符号３３ａを付して示している）と、ファンモーター３３ａのモーター軸に取り付けられる遠心ファン３３ｂとで構成され、遠心ファン３３ｂの回転により化粧パネル１００の吸込口１１０から被調和室の空気（室内空気）を吸い込んで遠心方向に吹き出すようにしている。
熱交換器３５（図３参照）は、フィン・チューブ型の熱交換器が適用され、熱交換面積を多く確保すべく、送風機３３の周囲を囲うように多角形状に曲げられて配置され、この熱交換器３５の一端３５ａと他端３５ｂとが管板３６で連結されるようになっている。
【００１４】
図３に示すように、管板３６は、その外側のスペース（管板３６と筐体２１との間のスペース）Ｓ１を拡げるように筐体２１の側板部２１ｃの長手方向に対して斜めに配置されており、このスペースＳ１には、熱交換器３５につながる冷媒配管３７が配置されている。この冷媒配管３７の外部接続口３７ａは、この管板３６に近接する側板部２１ｃ（図３中、符号２１ｃ１を付して表記する）の端部から外に露出し、筐体２１外から配管接続作業が可能に構成されている。
また、この側板部２１ｃ１の反対側端部には、その内側スペース（熱交換器３５と筐体２１との間のスペース）Ｓ２内の後述するドレンポンプ７１がドレン水を排出するドレン配管３８が外に露出し、筐体２１外からドレン配管３８の接続作業が可能に構成されている。このように冷媒配管３７やドレン配管３８が筐体２１の一つの側板部２１ｃ１から接続可能に構成されるので、配管作業者は作業をほぼ同じ位置から行うことができる。
【００１５】
この熱交換器３５の下方には、発泡スチロール製のドレンパン４０が配置されており、熱交換器３５からのドレン水が被調和室に漏れないようにすると共に、このドレンパン４０が筐体２１内部を断熱する断熱材の一部を兼ねるようにしている。
また、このドレンパン４０は、化粧パネル１００の吸込口１１０に対応する部分に吸込用開口部４０ａを有し、この吸込用開口部４０ａにはベルマウス４２が取り付けられると共に、この吸込用開口部４０ａの外周部が下方に突出して化粧パネル１００に当接する当接部４０ｂ（図２参照）が形成されている。
【００１６】
この当接部４０ｂは、送風機３３の周囲を囲うように延在して化粧パネル１００の吸込口１１０と吹出口１２０との間の領域に当接する形状を有し、化粧パネル１００の吸込口１１０だけを、この当接部４０ｂに囲まれる吸込通路αを介して送風機３３の吸込部（遠心ファン３３ｂ）に連通させる。言い換えれば、当接部４０ｂは、化粧パネル１００の吹出口１２０を吸込通路αに連通させない仕切り体として機能する。この吸込通路αの内部には、ベルマウス４２の開口部分と重ならないように、電装品を収容する電装箱４４が筐体２１の側板部２１ｃ１寄りに配置されている。
【００１７】
さらに、このドレンパン４０には、化粧パネル１００の吹出口１２０に対応する部分に複数（本例では４つの）の吹出用開口部４０ｃが設けられており、この吹出用開口部４０ｃが、熱交換器３５を通過した空気（調和空気）を化粧パネル１００の吹出口１２０に導く吹出通路βとして機能する。
このため、送風機３３の運転によって、室内空気が化粧パネル１００の吸込口１１０から吸い込まれ、ドレンパン４０の吸込用開口部４０ａを通じて筐体２１内へと吸い込まれた後に熱交換器３５を通過し、この熱交換器３５によって室内空気と冷媒とが熱交換される。そして、この熱交換された調和空気が、ドレンパン４０の吹出用開口部４０ｃを通じて化粧パネル１００の吹出口１２０から被調和室へ吹き出され、これによって被調和室が空調される。
【００１８】
図４は作動時のドレンポンプ７１を周辺構成と共に示す側断面図である。
空調運転時（例えば、冷房運転時）には、熱交換器３５でドレン水が生成され、このドレン水はドレンパン４０の上面側であって、熱交換器３５に沿って形成された凹状溝であるドレン溜まり部４０ｇに流れ落ちる。
本構成のドレンパン４０では、ドレンパン４０の一端側（上記スペースＳ２に相当する部分）にドレン溜まり部４０ｇの最深部（以下、ドレン最深部４０ｈという）が形成されており、全ドレン水がドレン最深部４０ｈに回収されるようになっている。このドレン最深部４０ｈの上側には、ドレン最深部４０ｈに溜まったドレン水を汲み上げて外部に排水するドレンポンプ７１が配設されている。
【００１９】
ドレンポンプ７１は、このドレンポンプ７１の吸込口７１ａが、ドレン最深部４０ｈに臨むように、図示せぬ取付部材を介して装置本体２０に固定される。このため、ドレンポンプ７１が作動した場合に、ドレン最深部４０ｈに溜まったドレン水がドレンポンプ７１に吸い込まれ、このドレンポンプ７１の排出口に連結されたドレン配管３８を介して外部に排出される。この空気調和装置では、空調運転中はドレンポンプ７１が作動し、空調運転が停止するとドレンポンプ７１の作動も停止するようになっている。
【００２０】
また、このドレン最深部４０ｈには、上下に貫通するドレン抜き用の貫通孔４０ｊが設けられている。ここで、本構成のドレンパン４０は、図４に示すように、発泡スチロール製のドレンパン本体４０ｄの上面を樹脂フレーム４０ｅで覆って構成されており、この樹脂フレーム４０ｅが貫通孔４０ｊ内まで延びて該貫通孔４０ｊの壁部を構成することによって、貫通孔４０ｊの剛性を高くし、ひいてはドレンパン４０全体の剛性向上に寄与するようになっている。
この貫通孔４０ｊは、ドレンポンプ７１の吸込口７１ａの直下ではなく、吸込口７１ａの側方（本例では、ドレンポンプ７１の吸込口７１ａと熱交換器３５との間）で上下に延びる貫通孔に形成されている。また、この貫通孔４０ｊは、通常時はドレンキャップ（水抜き栓）２００で閉じられ、各種メンテナンス時にドレンキャップ２００を取り外すことによってドレンパン４０に貯留されたドレン水を排出したり、ドレンパン４０の清掃作業を行ったりすることができる。
【００２１】
図５はドレンキャップ２００の斜視図であり、図６はドレンキャップ２００の分解斜視図である。
図５及び図６に示すように、ドレンキャップ２００は、ドレンパン４０の貫通孔４０ｊに挿入されるドレンキャップ本体（本体部）２１０と、ドレンキャップ本体２１０に着脱自在に設けられた蓋部２２０とを有している。このドレンキャップ本体２１０は、ゴム等の弾性材で形成されており、ドレンパン４０の貫通孔４０ｊに挿入される軸部２１１と、軸部２１１の下端部に設けられた大径つば部２１３と、軸部２１１から上方へ立設する立設部２１５とを一体に備えている。
【００２２】
軸部２１１は、ドレンキャップ２００の周方向に連続する小径つば部２１２が軸方向に間隔を空けて複数形成されており、この小径つば部２１２の外径がドレンパン４０の貫通孔４０ｊの内径よりも若干大きく形成されている。これによって、この軸部２１１を貫通孔４０ｊに挿入した場合に、小径つば部２１２が弾性変形して貫通孔４０ｊに密着し、軸部２１１と貫通孔４０ｊとの間の隙間を閉塞する。このように、弾性変形し易い小径つば部２１２で隙間を閉塞するので、ドレンキャップ２００と貫通孔４０ｊとの密着性を向上しつつ、ドレンキャップ２００の着脱作業を容易にすることができる。
また、この小径つば部２１２は、ドレンキャップ２００の一周毎に連続する複数のつば部に形成されており、これによれば、仮にねじ山のような螺旋状に連続するつば部に形成したとすると、つば部の間に入った水が漏れてしまうが、本構成では、小径つば部２１２の間に水が存在したとしても確実に水が漏れないようになっている。
【００２３】
大径つば部２１３は、貫通孔４０ｊ及び小径つば部２１２よりも大径に形成されており、このドレンキャップ２００を貫通孔４０ｊに取り付けた際に、この大径つば部２１３が貫通孔４０ｊの下端周囲に当接して該ドレンキャップ２００の取付位置を位置決めする。また、大径つば部２１３の内側、つまり、ドレンキャップ２００の下端部には、当該ドレンキャップ２００を作業者が把持するためのつまみ部２１４が形成されている。
【００２４】
立設部２１５は、図６に示すように、中央の窪み部２１６の周囲に沿って環状に上方へ立設する形状を有しており、その周方向に間隔（本例では１２０°間隔）を空けて上面２１５ａから下方に凹んで上記窪み部２１６に水平方向で連通する複数（本例では３つ）の溝部２１７が形成されている。
この立設部２１５は、図４に示すように、ドレンキャップ２００をドレンパン４０に取り付けた場合に、ドレンパン４０のドレン最深部４０ｈよりも上方に突出して、その上面２１５ａが、ドレンポンプ７１の吸込口７１ａの高さＨ０よりも上方に位置する高さＨ１に形成されている。
ここで、ドレンポンプ７１の吸込口７１ａの高さＨ０は、ドレンポンプ７１が排水可能な最低水位に相当しており、つまり、立設部２１５の上面２１５ａは、ドレンポンプ７１が排水可能な最低水位より上方に位置するようになっている。
【００２５】
また、図６に示すように、この立設部２１５の溝部２１７は、立設部２１５の上面２１５ａから下方に延びる溝に形成されており、少なくとも上記溝部２１７及び窪み部２１６の下面がドレンポンプ７１の吸込口７１ａの高さＨ０より低い位置とされる。このため、ドレンパン４０のドレン最深部４０ｈに溜まったドレン水がドレンポンプ７１で排水可能な最低水位未満であっても各溝部２１７に流入する。これにより、ドレン水を各溝部２１７を介して中央の窪み部２１６に流入させ、また、この窪み部２１６に流入したドレン水を各溝部２１７を介して流出させることができる。すなわち、ドレン水をドレンキャップ本体２１０を水平方向に流通させてドレンキャップ２００内に導入させるドレン水導入経路が形成される。
このようにドレン水を水平方向に流通させれば、ドレンキャップ本体２１０がドレンポンプ７１の吸込口７１ａに向けて流れるドレン水の流れを妨げず、言い換えれば、ドレン水をドレンポンプ７１の吸込口７１ａに流し易いドレンキャップ２００にすることができる。
【００２６】
また、立設部２１５の外周部には、蓋部２２０をドレンキャップ本体２１０に取り付けるための凹状の引掛部２１８が周方向に間隔を空けて形成されている。各引掛部２１８には、蓋部２２０の内側に設けられた係止部２２１（図４参照）が各々引っ掛けられ、その状態で、蓋部２２０をドレンキャップ本体２１０に対して所定方向に回転させることによって該係止部２２１が引掛部２１８の最奥部２１８ａに嵌って蓋部２２０がドレンキャップ本体２１０に固定される。また、蓋部２２０を逆方向に回転させることによって、蓋部２２０をドレンキャップ本体２１０から容易に外すことができる。
【００２７】
この蓋部２２０は、透明樹脂等の透明材料で形成されており、立設部２１５の上面２１５ａとの間に、抗菌剤２３０を収容する収容部２４０（図４参照）を空けて立設部２１５を上方から覆う形状に形成される。より具体的には、この蓋部２２０は、立設部２１５の直径と略同径の上方覆い部２２３と、上方覆い部２２１の外縁から下方に延出して立設部２１５の外周側を略覆う筒部２２５とを一体に備えて構成されている。
この筒部２２５の内周側には、立設部２１５に設けられた引掛部２１８に引っ掛かる係止部２２１（図４参照）が設けられており、この係止部２２１が引掛部２１８の最奥部２１８ａまで入ることによって蓋部２２０がドレンキャップ本体２１０に位置決めされる。この位置決め状態では、図４に示すように、蓋部２２０の上方覆い部２２１が、立設部２１５の上面２１５ａ（ドレンキャップ本体２１０の上面に相当）よりも高い位置にあり、この間の空間によって抗菌剤２３０を収容する収容部２４０が形成される。
【００２８】
この収容部２４０には、抗菌剤２３０として、粒状（例えば球形）に形成された銀イオン抗菌剤が収容される。この抗菌剤２３０は、ドレン水と接触することによってドレン水に銀の微粉体（抗菌成分）を混在させ、これによって、ドレン水中にスライムが発生するのを防止するスライム発生防止剤である。ここで、粒状の抗菌剤を使用したのは、収容部２４０内全体を抗菌剤２３０で満たした場合でも、各抗菌剤２３０の間にドレン水を通す隙間が確保されてドレン水に抗菌成分（銀の微粉体）を混在させ易くできるからである。但し、スライム発生防止剤として機能するものであれば、上記銀イオン抗菌剤に限らず、他の抗菌剤を使用してもよい。なお、この抗菌剤２３０は、水を流通自在な網状の袋に入れた状態で収容部２４０に収容してもよいし、袋を使用せずに収容部２４０に収容してもよい。
【００２９】
本構成では、蓋部２２０とドレンキャップ本体２１０との間の空間である収容部２４０が、立設部２１５の上面２１５ａよりも高い位置の収容空間（以下、上側収容部２４０ａという）と、窪み部２１６によって形成される立設部２１５の上面２１５ａよりも低い位置の収容空間（以下、下側収容部２４０ｂという）とから構成される。このため、この収容部２４０に収容された抗菌剤２３０は、上側収容部２４０ａと下側収容部２４０ｂの両方に収容され、立設部２１５の上下に渡って配置されることになる。
上記したように、立設部２１５の上面２１５ａは、ドレンポンプ７１の吸込口７１ａの高さＨ０よりも上方に位置するので、抗菌剤２３０は、ドレンポンプ７１の吸込口７１ａの上下に渡って配置され、しかも、上側収容部２４０ａが下側収容部２４０ｂに比して拡径した空間に形成されるので、上側収容部２４０ａに多くの抗菌剤２３０を収容でき、収容部２４０全体としても抗菌剤２３０の収容スペースを広く確保することができる。
【００３０】
また、蓋部２２０の下部（筒部２２５の下部に相当）には、ドレンキャップ本体２１０の立設部２１５に設けられた溝部２１７に連通する開口部２２７が周方向に間隔を空けて形成されており、これによって、蓋部２２０がドレン水のドレンキャップ本体２１０への流通を妨げないように構成されている。また、蓋部２２０の上部（上方覆い部２２３及び筒部２２５の上部に相当）には、スリット状の開口部２２８が間隔を空けて多数形成されており、これにより、これら開口部２２８を介して蓋部２２０の内外で空気が流通し易い構成となり、ドレン水がドレンキャップ本体２１０へ流入或いは流出する際に、ドレンキャップ本体２１０と蓋部２２０との間の空気がドレン水の抵抗とならず、ドレン水を流通し易くすることができる。
【００３１】
このように本実施形態では、ドレンキャップ２００の内部に抗菌剤２３０を収容する収容部２４０を設けることによって、ドレン水に抗菌剤２３０を混在させる抗菌剤ユニット２５０が構成されており、しかも、この抗菌剤ユニット２５０には、ドレンポンプ７１が排水可能な最低水位より上方に抗菌剤２３０を収容する上側収容部２４０ａが設けられ、このドレンキャップ２００内にはドレン水を導入するドレン水導入経路として機能する溝部２１７及び窪み部２１６が形成されている。
このため、ドレンポンプ７１が作動してドレン水を汲み上げている状態からその作動が停止した場合に、ドレンポンプ７１内及びドレンポンプ７１につながるドレン配管３８内に残留するドレン水が自重により落下して吸込口７１ａからドレンパン４０内へと戻ると、図７に示すように、この戻り水でドレンパン４０に貯留されるドレン水の水位が吸込口７１ａよりも高い水位（図７では水位Ｈ２、ここでＨ２＞Ｈ１＞Ｈ０）に上昇するため、ドレン水が溝部２１７や窪み部２１６を通って上側収容部２４０ａ内へと入り、上側収容部２４０ａ内の抗菌剤２３０に接触してスライムの発生を抑えることができる。
すなわち、上側収容部２４０ａは、ドレンポンプ７１の吸込口７１ａの高さＨ０よりも上方に位置する高さＨ１以上であって、ドレンポンプ７１の戻り水で上昇した水位Ｈ２より低い位置に設けられる。なお、図７に示す水位Ｈ２は、ドレン配管長が最大長時の戻り水水位を示している。
【００３２】
一方、ドレンポンプ７１が作動している場合は、ドレン水の水位が下がるため、ドレン水は上側収容部２４０ａ内へは入らないか、入ったとしても上側収容部２４０ａの下側部分にある抗菌剤２３０に接触するだけで上側部分にある抗菌剤２３０へは接触せず、この上側収容部２４０ａ内の抗菌剤２３０の消耗を回避することができる。従って、抗菌剤２３０をドレン水に常時浸ける場合に比して、抗菌成分がドレン水に必要以上に溶け出してしまう事態を回避でき、抗菌効果が持続する期間、つまり、抗菌剤２３０の寿命を延ばすことができる。
ここで、スライムが発生し易いのは、ドレンパン４０にドレン水が貯留されたままの状態が継続した場合であり、実際には、ドレン水が溜まる運転（冷房運転）をした後に空調運転を停止し、その状態が継続した場合である。本構成では、空調空転が停止し、ドレンポンプ７１も停止して戻り水でドレンパン４０の水位が上昇すると、このドレン水が上側収容部２４０ａに入って抗菌剤２３０に接触するので、スライムが発生し易いドレンポンプ７１停止時にドレン水を抗菌剤２３０に接触させることができ、スライムの発生を効果的に抑えることができる。
【００３３】
また、本実施形態の抗菌剤ユニット２５０には、ドレンポンプ７１が排水可能な最低水位Ｈ０より下方にも抗菌剤２３０を収容する下側収容部２４０ｂが設けられるので、ドレンポンプ７１からの戻り水でドレン水の水位が上昇していない場合でも、ドレン水が溝部２１７や窪み部２１６を通って下側収容部２４０ｂ内へ入り、この下側収容部２４０ｂ内の抗菌剤２３０に接触してスライムの発生を抑えることができる。
【００３４】
以上説明したように、本実施形態によれば、ドレンパン４０には抗菌剤ユニット２５０が設けられ、この抗菌剤ユニット２５０には、ドレンポンプ７１が排水可能な最低水位Ｈ０より上方に抗菌剤２３０を収容する上側収容部２４０ａが設けられ、ドレンポンプ７１の停止によりドレンポンプ７１からの戻り水で水位が上昇したドレン水を上側収容部２４０ａに導入可能なドレン水導入経路として機能する溝部２１７及び窪み部２１６が形成されるので、スライムの発生を効果的に抑えつつ抗菌剤の寿命を長くすることができる。
しかも、抗菌剤ユニット２５０は、ドレンパン４０から立設して上面２１５ａがドレンポンプ７１の吸込口７１ａよりも上方に位置する立設部２１５と、この立設部２１５の上面２１５ａとの間に上側収容部２４０ａを空けて装着される蓋部２２０とを備えるので、ドレンポンプ７１の吸込口７１ａよりも上方に抗菌剤２３０を収容する上側収容部２４０ａを簡易に設けることができ、また、抗菌剤２３０と蓋部２２０で抗菌剤２３０を囲って抗菌剤２３０を該位置に容易かつ確実に保持することができる。また、蓋部２２０を外せば、抗菌剤２３０を容易に交換でき、本実施形態のように蓋部２２０を透明材料で形成することによって抗菌剤２３０の状態を外部から容易に視認することも可能になる。
【００３５】
さらに、本構成では、ドレン水導入経路を、立設部２１５の上面２１５ａから下方に凹む溝部２１７としているので、仮に立設部２１５に貫通孔を形成してドレン水を導入させる構成にした場合よりも、立設部２１５の剛性を十分に確保しつつ上側収容部２４０ａに連通するドレン水導入経路を広く確保することができる。
また、立設部２１５は、下方に凹んで溝部２１７と水平方向に連通する窪み部２１６の周囲に沿って立設し、溝部２１７が、窪み部２１６の周囲に沿って間隔を空けて形成されるので、この窪み部２１６及び溝部２１７を介してドレン水の抗菌剤ユニット２５０への流通を円滑にすることができる。
また、蓋部２２０と窪み部２１６との間に、上側収容部２４０ａよりも低い位置に抗菌剤２３０を収容可能な下側収容部２４０ｂを設けたので、ドレンポンプ７１からの戻り水でドレン水の水位が上昇していない場合でも、ドレン水を抗菌剤２３０に接触させてスライムの発生を抑えることができる。
【００３６】
また、蓋部２２０の上部には、蓋部２２０の内外で空気を流通させるスリット状の開口部２２８が形成されるので、ドレン水を蓋部２２０内へ流入させ易く、かつ、ドレン水が蓋部２２０内から外へ流出し易くすることができる。また、開口部２２８がスリット状なので、蓋部２２０の外からドレン水以外の物（比較的大きい物）が蓋部２２０内へ入るのを防止することができる。
さらに、本構成では、ドレンキャップ２００に抗菌剤ユニット２５０を一体的に形成しているため、この種の抗菌剤ユニットを別体で形成した場合に比して、その配置スペースを別途確保する必要がない分、抗菌剤ユニット２５０の配置が容易になる。
【００３７】
＜第２実施形態＞
図８乃至図１０は第２実施形態を示している。第２実施形態では、抗菌剤ユニット２５０の蓋部２２０の中央に窪み部２２０ｘが形成されており（図８参照）、この窪み部２２０ｘの底が、ドレンキャップ本体（本体部）２１０の中央に設けられた窪み部２１６に当接するようになっている（図９参照）。
このため、抗菌剤ユニット２５０の蓋部２２０とドレンキャップ本体２１０との間に形成される収容部２４０は、図９及び図１０に示すように、立設部２１５の上面２１５ａよりも高い位置にある上側収容部２４０ａだけとなり、第１実施形態で説明した下側収容部２４０ｂは形成されないようになっている。
【００３８】
このため、ドレンポンプ７１が作動してドレン水を汲み上げている状態からその作動が停止した場合に、ドレンポンプ７１内及びドレンポンプ７１につながるドレン配管３８内に残留するドレン水が自重により落下して吸込口７１ａからドレンパン４０内へと戻ると、図１０に示すように、この戻り水でドレンパン４０に貯留されるドレン水の水位が吸込口７１ａよりも高い水位Ｈ２（Ｈ２＞Ｈ１＞Ｈ０）に上昇する。この場合、ドレン水は、ドレンキャップ本体２１０の溝部２１７を通って上側収容部２４０ａ内へと流れて、この上側収容部２４０ａ内の抗菌剤２３０に接触する。すなわち、溝部２１７がドレンキャップ２００内にドレン水を導入させるドレン水導入経路として機能する。
これにより、ドレンポンプ７１停止時にドレン水を抗菌剤２３０に接触させることができ、スライムの発生を効果的に抑えることができる。
【００３９】
一方、ドレンポンプ７１が作動している場合は、ドレン水の水位が下がるため、ドレン水は上側収容部２４０ａ内へは入らないか、入ったとしても上側収容部２４０ａの下側部分にある抗菌剤２３０に接触するだけで上側部分にある抗菌剤２３０へは接触せず、この上側収容部２４０ａ内の抗菌剤２３０の消耗を回避することができる。
すなわち、本実施形態では、ドレンポンプ７１からの戻り水で水位が上昇した場合にドレン水が抗菌剤２３０に接触し、ドレン水の水位が低い場合、つまり、ドレンポンプ７１作動時はドレン水は抗菌剤２３０に殆ど接触しない。上述したように、スライムが発生し易いのは、ドレン水が貯留された状態でドレンポンプ７１停止した場合であり、本実施形態では、かかる場合にドレン水を抗菌剤２３０に接触させるので、スライムの発生を効果的に抑えつつ抗菌剤２３０の寿命を延ばすことができる等の上記第１実施形態の各種効果に加え、抗菌剤２３０全体の消耗度合いを均等にすることが可能になる。
【００４０】
また、本実施形態では、図８に示すように、上記蓋部２２０の中央に設けられる窪み部２２０ｘの側壁には、上端から下端に向かって延びる開口部２２９が周方向に間隔を空けて形成されており、これら開口部２２９の下部は、ドレンキャップ本体２１０の立設部２１５に設けられた溝部２１７の内周側に連通する。
このため、これら開口部２２９の下部及び溝部２１７を介して、ドレン水を水平方向に流通させることができ、かつ、これら開口部２２９の上部が、蓋部２２０の内外で空気を流通させる空気流通孔として機能し、ドレン水を蓋部２２０内（上側収容部２４０ａ）に導入し易くすることができる。
【００４１】
なお、上記実施の形態は本発明の一態様であり、本発明の趣旨を逸脱しない範囲において適宜変更が可能である。例えば、上述の実施形態では、４方向天井カセット形の空気調和装置に本発明を適用する場合について説明したが、これに限らず、２方向天井カセット形の空気調和装置や加湿器（加湿機能）を備えた空気調和装置等の他の空気調和装置にも広く適用可能である。
【図面の簡単な説明】
【００４２】
【図１】第１実施形態に係る天井埋込型空気調和装置（室内機）の設置状態を示す図である。
【図２】室内機の装置本体を示す斜視図である。
【図３】装置本体を下方から見た平面図である。
【図４】作動時のドレンポンプを周辺構成と共に示す側断面図である。
【図５】ドレンキャップの斜視図である。
【図６】ドレンキャップの分解斜視図である。
【図７】作動停止時のドレンポンプを周辺構成と共に示す側断面図である。
【図８】第２実施形態に係る天井埋込型空気調和装置のドレンキャップの分解斜視図である。
【図９】作動時のドレンポンプを周辺構成と共に示す側断面図である。
【図１０】作動停止時のドレンポンプを周辺構成と共に示す側断面図である。
【符号の説明】
【００４３】
１０  室内機（空気調和装置）
２０  装置本体
３５  熱交換器
３８  ドレン配管
４０  ドレンパン
４０ｇ  ドレン溜まり部
４０ｈ  ドレン最深部
４０ｊ  貫通孔
７１  ドレンポンプ
７１ａ  吸込口
２００  ドレンキャップ
２１０  ドレンキャップ本体（本体部）
２１５  立設部
２１６  窪み部
２１７  溝部
２２０  蓋部
２３０  抗菌剤
２４０  収容部
２４０ａ  上側収容部
２４０ｂ  下側収容部
【図１】
2010169279.tif 000003
【図２】
2010169279.tif 000004
【図３】
2010169279.tif 000005
【図４】
2010169279.tif 000006
【図５】
2010169279.tif 000007
【図６】
2010169279.tif 000008
【図７】
2010169279.tif 000009
【図８】
2010169279.tif 000010
【図９】
2010169279.tif 000011
【図１０】
2010169279.tif 000012